(57)【要約】【課題】シ−ト状物に孔開け作業をするに際して、孔の形状が略楕円形、略三角形状又は略菱形形状その他いろいろな非円形の異形の孔開けが可能になると共に、極めて粘着性の強いＴ．Ａ．Ｆ共押多層フィルムにも正確無比の孔開けを行うことができるシ−ト状物の孔開け装置を提供する。【解決手段】設置板上に設置されたモ−タ−と、該モ−タ−の回転により回転する原動プ−リ−と、前記原動プ−リ−と離間した位置に設置される従動プ−リ−と、原動プ−リ−と従動プ−リ−との間に張架してなるオ−プンベルトと、前記オ−プンベルトに下向きに取付けられると共にその刃先を前記オ−プンベルトの下辺より突出させてなる切断刃と、前記モ−タ−取付け台を上下動させる弾力的加圧手段とからなることを特徴とするシ−ト状物の孔開け装置。【選択図】    図２
0003111838.tif 000002
【実用新案登録請求の範囲】
【請求項１】
設置板上に設置されたモ−タ−と、該モ−タ−の回転により回転する原動プ−リ−と、前記原動プ−リ−と離間した位置に設置される従動プ−リ−と、原動プ−リ−と従動プ−リ−との間に張架したオ−プンベルトと、前記オ−プンベルトに下向きに取付けられると共にその刃先を前記オ−プンベルトの下辺より突出させてなる切断刃と、前記モ−タ−取付け台を上下動させる弾力的加圧手段とからなることを特徴とするシ−ト状物の孔開け装置。
【請求項２】
オ−プンベルトは帯状である請求項１記載のシ−ト状物の孔開け装置。
【請求項３】
従動プ−リ−と、原動プ−リ−はロ−ププ−リ−であって、オ−プンベルトは上下離間的に配置される複数のロ−プベルトである請求項１記載のシ−ト状物の孔開け装置。
【請求項４】
受け台と、設置板上に設置されたモ−タ−と、該モ−タ−の回転により回転する原動プ−リ−と、前記原動プ−リ−と離間した位置に設置される従動プ−リ−と、原動プ−リ−と従動プ−リ−との間に張架したオ−プンベルトと、前記オ−プンベルトに下向きに取付けられると共にその刃先を前記オ−プンベルトの下辺より突出させてなる切断刃と、前記モ−タ−取付け台を上下動させる弾力的加圧手段とからなることを特徴とするシ−ト状物の孔開け装置。
【請求項５】
切断刃は、細幅であって下部を傾斜状に取付けてなる刃先とした請求項１又は請求項５記載のシ−ト状物の孔開け装置。
【請求項６】
モ−タ−取付け台上に設置されたモ−タ−と、該モ−タ−の回転により回転する原動プ−リ−と、前記原動プ−リ−と離間した位置に設置される従動プ−リ−と、原動プ−リ−と従動プ−リ−との間に掛けられたオ−プンベルトと、前記オ−プンベルトの外面に下向きに取付けられると共にその刃先を前記オ−プンベルトの下辺より突出させてなる切断刃と、前記モ−タ−取付け台を上下動させる弾力的加圧手段とからなり、前記原動プ−リ−と従動プ−リ−との間に一または複数の回転案内子を迂回させてオ−プンベルトを配置させてなることを特徴とするシ−ト状物の孔開け装置。
【考案の詳細な説明】
【考案の詳細な説明】
【技術分野】
【０００１】この考案は、シ−ト状体に非円形の異形の孔形を開けることが出来るシ−ト状物の孔開け装置に関する。
【背景技術】
【０００２】従来、各種の展示用商品包装用のプラスチック袋体のようなシ−ト状物のの上端シ−ト状ヘッタ−部に吊り下げ孔又は手持ち孔を開口している。このようなシ−ト状体の所定位置を穿孔するためのシ−ト状物の孔開け装置は各種提供されている。【０００３】穿孔するためのシ−ト状物パンチング装置としては、パンチとダイによる打ち抜き装置によるものでは、これらの芯合わせが殊に微妙な調整が必要になる。（例えば、特許文献１参照）【０００４】また、硬い台の上に円筒状のカッタ−をシ−ト状体に対して強圧してパンチングするものもある。（例えば、特許文献２参照）
又、円筒状カッタ−を回転チャックに着脱自在に取付けたものもある。（例えば、特許文献３参照）
更に、本願考案者の実施している孔明け装置は、モ−タ−取付け台の上部に設置されたモ−タ−と、該モ−タ−の回転により回転する回転盤と、前記回転盤と一体に構成された刃物取付盤と、刃物取付盤の下部には刃物取付け突出部に取り付けると共に下部を傾斜状に設けた板状刃と、前記刃物取付盤を上下動させる昇降手段とからなる円形の孔明け装置はある。（例えば、特許文献４参照）【０００５】
【特許文献１】特公平４−３５３１８号添付の第３図
【特許文献２】特公平４−３５３１８号添付の第４図
【特許文献３】特公平４−３５３１８号
【特許文献４】登録実用新案第３０９９２０１号
【考案の開示】
【考案が解決しようとする課題】
【０００６】しかしながら、上記のような従来のシ−ト状物パンチング装置では、必要な孔径に応じたパンチング用の筒刃を孔径に応じた数を予め用意しておく必要があると共に、パンチング用の筒刃をその都度付け替える作業が必要となる。
パンチングされるフイルム又はシ−ト状物も、例えば二軸延伸ポリプロピレンフィルム（ＯＰフィルム）、無延伸ポリプロピレンフィルム（ＣＰフィルム）、Ｔ．Ａ．Ｆ共押多層フィルム、ビニロンフィルム（ＶＦフィルム）、トスロンポリビニルアルコ−ルフィルム、紙、及びにれらの多層フィルム等々多岐にわたっている。上記の中、特に粘着性の強いＴ．Ａ．Ｆ共押多層フィルムでは従来のシ−ト状物パンチング装置では、その粘着性のためにパンチングに不良品がでることがしばしば発生した。【０００７】更に、円盤に下向きの刃物を取り付けるものでは、真円状に孔明けすることができるが、例えば楕円形状その他の異形の孔を開けることはできない。【０００８】この考案の目的とするところは、シ−ト状物に孔開け作業をするに際して、非円形、例えば楕円形状、ハ−ト型又は菱形形状の孔明けも極めて容易に実行することができると共に、極めて粘着性の強いＴ．Ａ．Ｆ共押多層フィルムにも正確無比の孔開けを行うことができるシ−ト状物の孔開け装置を提供することである。
【課題を解決するための手段】
【０００９】本考案は上記の目的を達成するために、モ−タ−取付け台上に設置されたモ−タ−と、該モ−タ−の回転により回転する原動プ−リ−と、前記原動プ−リ−と離間した位置に設置される従動プ−リ−と、原動プ−リ−と従動プ−リ−との間に掛けられたオ−プンベルトと、前記オ−プンベルトの外面に下向きに取付けられると共にその刃先を前記オ−プンベルトの下辺より突出させてなる切断刃と、前記モ−タ−取付け台を上下動させる弾力的加圧手段とからなるようにした。【００１０】また、オ−プンベルトは帯状とした。【００１１】更に、従動プ−リ−と、原動プ−リ−とはロ−ププ−リ−であって、オ−プンベルトは上下離間的に配置される複数のロ−プベルトとすることもできる。【００１２】更に、受け台と、該受け台の上部に設置され且つモ−タ−取付け台上に設置されたモ−タ−と、該モ−タ−の回転により回転する原動プ−リ−と、前記原動プ−リ−と離間した位置に設置される従動プ−リ−と、原動プ−リ−と従動プ−リ−との間に掛けられたオ−プンベルトと、前記オ−プンベルトの外面に下向きに取付けられると共にその刃先を前記オ−プンベルトの下辺より突出させてなる切断刃と、前記モ−タ−取付け台を上下動させる弾力的加圧手段とから構成することが好ましい。【００１３】そして、更に、切断刃は、細幅であって下部を傾斜状に取付けてなる刃先とするのが好ましい。【００１４】しかも、モ−タ−取付け台上に設置されたモ−タ−と、該モ−タ−の回転により回転する原動プ−リ−と、前記原動プ−リ−と離間した位置に設置される従動プ−リ−と、原動プ−リ−と従動プ−リ−との間に掛けられたオ−プンベルトと、前記オ−プンベルトの外面に下向きに取付けられると共にその刃先を前記オ−プンベルトの下辺より突出させてなる切断刃と、前記モ−タ−取付け台を上下動させる弾力的加圧手段とからなり、前記原動プ−リ−と従動プ−リ−との間に一または複数の案内軸を迂回させてオ−プンベルトを配置させることによってより広範な孔明け作業を可能にする。
【考案を実施するための最良の形態】
【００１５】以下、この考案の実施の形態を以下に詳細に説明する。
図１〜図６において、上部固定板１は本願考案のシ−ト状物の孔開け装置Ａの側板２によって一定位置に固定する。上部固定板１の上面には上下シリンダ−３が設置されると共に、上下シリンダ−３の上下シリンダ−軸４の下部は上下シリンダ−３の下部中央部に開けられた貫通孔を貫通して上下固定板５に固定してある。更に、上下固定板５の下部離間位置には設置板６が設けられ、設置板６の上面には原動プ−リ−用のモ−タ−７及びこのモ−タ−７の横側に従動プ−リ−用の保持部８が設置されている。上下固定板５と設置板６とは支持扞２０によって支持されている。【００１６】前記原動プ−リ−用のモ−タ−７と、従動プ−リ−用の持部８の下方にはそれぞれ原動プ−リ−９と従動プ−リ−１０とは、前記原動プ−リ−用のモ−タ−７の回転軸１１と従動プ−リ−用の保持部８の回転軸１２とによって回転可能に支持されている。更に、原動プ−リ−９と従動プ−リ−１０との間には上下所定幅を有するプ−リ−ベルト１３がオ−プン状に掛けられると共に、該ベルト１３には細幅カッタ−１４の刃先１５がプ−リ−ベルト１３の下端部より突出するように固定される。設置板６の更に下部離間位置にゴムクッョン板のような弾性部材で形成された弾性板１６が適数個の押しバネのような押圧材１７に弾力的支持されている。弾性板１６には前記細幅カッタ−の移動領域には空隙部１８が形成される。孔開け装置Ａの作業受け台１９及びそのの上面にも作業用ゴムクッョン板２１にも前記細幅カッタ−の移動領域には空隙部２２、２３が形成される。【００１７】上記支持扞２０は、上下固定板５と設置板６とを連結固定してあるが、この支持扞２０は、上部固定板１を摺動自在に貫通させてある。【００１８】この孔開け装置Ａは、孔開け作業中は、常時的に原動プ−リ−用のモ−タ−７が回転し、従って、原動プ−リ−９と従動プ−リ−１０とプ−リ−ベルト１３及びプ−リ−ベルト１３に固定された細幅カッタ−１４の刃先１５も回転しており、孔開け作業中に、被加工用のシ−ト状物Ｂが作業台１９及びゴムクッション２１等の位置に移送されてくると、それを電気的に感知して上下シリンダ−３の上下シリンダ−軸４が瞬間的に上下固定板５及び設置板６を押し下げると、作業台１９に設けられたゴムクッション２１の上の被加工用のシ−ト状物Ｂを弾性部材で形成された弾性板１６で一時的に挟着保持する。この瞬間に、常時回転している細幅カッタ−１４の刃先１５が被加工用のシ−ト状物Ｂの所定位置を正確に行うようにしてある。なお、上記プ−リ−ベルト１３はタイミンクベルトで正確なベルトの回転が得られるようにしてもよい。【００１９】作業台に被加工用のシ−ト状物Ｂが送られると、上下シリンダ−３の下動、孔開け位置の割り出し、孔開け作業、及び孔開け作業完了後の上下シリンダ−３の上動の一連の動作は全て電気的に感知して孔開け作業を瞬間的に行うようにしている。２９は穿孔である。【００２０】なお、原動プ−リ−９と従動プ−リ−１０との間は固定的でなく、従動プ−リ−１０の位置を移動して微調整をするために前記保持部８に対して押動し得る螺着調整ネジ２６が保持部８の近接位置に取付板２７に設けたネジ孔２８に螺動するようにしてある。保持部８は、図示を省略した溝孔にそって微動するようにしてあるものである。【００２１】なお、図３〜図４及び図５〜図６のようにプ−リ−ベルトを張架する状態で原動プ−リ−９を回転させた場合には細幅カッタ−１４の刃先１５は略楕円形状となるから必然的に略楕円形状で孔開けが行われる。【００２２】図７（イ）、（ロ）、（ハ）に示すようにプ−リ−ベルトを張架するように案内回転子２４を随時に設けることにより、図８（イ）、（ロ）、（ハ）のような各種の孔開け作業を可能となるものである。【００２３】プ−リ−ベルト１３は、図３〜図４に示すような帯状のものが一般的であるが、より安価にしたい場合には、図５〜図６に示すような原動ロ−ププ−リ−２５と従動ロ−ププ−リ−３５に複数のロ−プベルト３０、３０を張架することもできる。【００２４】このような刃物による切断による場合、二軸延伸ポリプロピレンフィルム（ＯＰフィルム）、無延伸ポリプロピレンフィルム（ＣＰフィルム）、Ｔ．Ａ．Ｆ共押多層フィルム、ビニロンフィルム（ＶＦフィルム）、トスロンポリビニルアルコ−ルフィルム、のようなシ−ト状物Ｂは従来のパンチング方式では困難とされた孔開け作業でもであっても、通常のプラスチックの流れ作業の工程の中に組み込んで行えのである。
【産業上の利用可能性】
【００２５】この考案は、モ−タ−取付け台上に設置されたモ−タ−と、該モ−タ−の回転により回転する原動プ−リ−と、前記原動プ−リ−と離間した位置に設置される従動プ−リ−と、原動プ−リ−と従動プ−リ−との間に掛けられたオ−プンベルトと、前記オ−プンベルトの外面に下向きに取付けられると共にその刃先を前記オ−プンベルトの下辺より突出させてなる切断刃と、前記モ−タ−取付け台を上下動させる弾力的加圧手段とから構成することにより、シ−ト状物Ｂの孔開け作業をシ−ト状物Ｂの移送工程中に行うことができると共に、安価な細幅の切断刃をオ−プンベルトに随時に取り付けることができるため、例えば、プラスチックの手提げ袋の手提げ孔を開けるのに便利である。
【図面の簡単な説明】
【００２６】
【図１】本願考案の孔開け装置の斜視図である。
【図２】本願考案の孔開け装置の一部を断面した正面図である。
【図３】原動プ−リ−と従動プ−リ−との間に帯ベルトを張架した状態の斜視図である。
【図４】原動プ−リ−と従動プ−リ−との間に帯ベルトを張架した状態の側面図である。
【図５】原動プ−リ−と従動プ−リ−との間にロ−プベルトを張架した状態の側面図である。
【図６】原動プ−リ−と従動プ−リ−との間にロ−プベルトを張架した状態の斜視図である。
【図７】（イ）、（ロ）、（ハ）は、原動プ−リ−と従動プ−リ−との間に案内子を設置した説明図である。
【図８】（イ）、（ロ）、（ハ）は、図７の原動プ−リ−と従動プ−リ−との間に案内子を設置して孔開けした場合のシ−ト状物に種々の孔の形状を示した一部平面図である。
【符号の説明】
Ａ．．．孔開け装置
Ｂ．．．シ−ト状物
１．．．上下固定板
２．．．側板
３．．．上下シリンダ−
４．．．シリンダ−軸
５．．．上下固定板
６．．．設置板
７．．．原動プ−リ−用モ−タ−
８．．．保持部
９．．．原動プ−リ−
１０．．従動プ−リ−
１１．．回転軸
１２．．回転軸
１３．．プ−リ−ベルト
１４．．細幅カッタ−
１５．．細幅カッタ−の刃先
１６．．弾性板
１７．．押圧材
１８．．空隙部
１９．．作業台
２０．．支持扞
２１．．ゴムクッション
２２．．作業台の空隙部
２３．．ゴムクッションの空隙部
２４．．案内回転子
２５．．原動ロ−ププ−リ−
２６．．螺動調整ネジ
２７．．取付板
２８．．ネジ孔
２９．．穿孔
３０．．ロ−プベルト
３５．．従動ロ−ププ−リ−
【図１】
0003111838.tif 000003
【図２】
0003111838.tif 000004
【図３】
0003111838.tif 000005
【図４】
0003111838.tif 000006
【図５】
0003111838.tif 000007
【図６】
0003111838.tif 000008
【図７】
0003111838.tif 000009
【図８】
0003111838.tif 000010